(57)【要約】【課題】背負いベルトを斜め上方に固定した状態で保持することができ、組み立てやすく連結強度が高いランドセルのベルト取り付け構造を提供する。【解決手段】上端に左右方向に延びる連結孔２３を備えた合成樹脂製の取り付け具１１と、連結孔２３に下辺が連結された三角形ないし台形状の金属製の連結鐶１２と、その連結鐶の上辺に回動しないように連結された背負いベルト１３とを備え、取り付け具１１の上端の連結部２２とその内部に嵌合した金属パイプ２１とが扁平に加圧変形されることにより、連結孔２３が扁平に変形され、連結鐶１２の下辺の両端部２８に形成した平坦部３３が互いに向き合うように連結孔２３に嵌入されるランドセルのベルト取り付け構造１０。【選択図】図１
0003118031.tif 000002
【実用新案登録請求の範囲】
【請求項１】
上端に左右方向に延びる連結孔を備え、背当て板の上部に左右一対の背負いベルトを取り付けるための取り付け具と、
その取り付け具の連結孔に下辺が連結された三角形状ないし台形状を呈する金属製の連結鐶と、
その連結鐶の上辺に回動しないように連結された背負いベルトとを備え、
前記取り付け具が合成樹脂製で、上端近辺が加圧変形されることにより、断面円形の連結孔が扁平に変形されており、
前記連結鐶の下辺が互いに向き合うように連結孔に嵌入される端部を備えると共に、それらの端部が連結孔に対して回動しない扁平な形態を備えており、
それにより連結鐶の取り付け具に対する回動が拘束される、
ランドセルのベルト取り付け構造。
【請求項２】
前記取り付け具の連結孔に、金属パイプが嵌入されており、その金属パイプが、前記取り付け具の上端を扁平に加圧変形するときに連結孔と同一形状に扁平に加圧される請求項１記載のランドセルのベルト取り付け構造。
【請求項３】
前記取り付け具の上端近辺が斜め前方に屈曲ないし湾曲しており、前記扁平な連結孔が断面略長円状であり、その長手方向の軸線が取り付け具の上端と同じ角度で斜め前方に傾斜している請求項１または２記載のベルト取り付け構造。
【請求項４】
前記連結鐶が金属棒を折り曲げ形成したものであり、前記端部が加圧変形により扁平な形態にされている請求項１、２または３記載のランドセルのベルト取り付け構造。
【請求項５】
前記連結鐶の上辺に略上向きに突出する突出部が形成され、その突出部が背負いベルトの端部近辺に固定されることにより、ベルトと連結鐶の上辺との回動が拘束されている請求項１記載のランドセルのベルト取り付け構造。
【請求項６】
前記突出部の突出部に薄肉の金属製の弾性片が固定されている請求項５記載のランドセルのベルト取り付け構造。
【請求項７】
背当て板の上部に揺動自在に設けられる左右一対の取り付け具と、
その取り付け具の上端に下辺が連結された三角形状ないし台形状を呈する金属製の連結鐶と、その連結鐶の上辺に連結された背負いベルトとを備え、
前記背負いベルトの端部近辺が連結鐶の上辺を包むように折り返されて背負いベルトの他の部分に縫いつけられており、
前記連結鐶の下辺の両端が互いに向き合うと共に、それらの端部に扁平部が設けられ、その扁平部が、合成樹脂製の取り付け具の加圧変形により扁平にした連結孔に嵌入されることにより、前記連結鐶の下辺が取り付け具に固定されており、
前記取り付け具の上端近辺が斜め前方に屈曲ないし湾曲しており、
前記連結鐶の上辺に、略上向きに突出する突出部が形成され、その突出部が背負いベルトの端部近辺に固定されているランドセルのベルト取り付け構造。
【考案の詳細な説明】
【技術分野】
【０００１】
本考案はランドセルの本体に背負いベルトを連結するためのベルト取り付け構造に関する。
【背景技術】
【０００２】
【特許文献１】実用新案登録第３００６２０９号公報
【特許文献２】特開２００３−３３９４１９号公報
【特許文献３】実用新案登録第３１０５８４９号公報
【０００３】
特許文献１には、前後に分かれた函体と、下端部がその函体内に回動自在に設けられる左右一対のレバーと、それらのレバーの上端に連結される略三角形状の連結鐶と、その連結鐶に一端が回動自在に連結される背負いベルトとを備えたランドセルのベルト留め具が開示されている。函体およびレバーは金属薄板をプレス成形したものであり、軽量に、かつ薄く構成できる利点がある。
【０００４】
前記連結鐶は金属線を略三角形状に折り曲げて構成したものであり、両端はほぼ連続するように向かい合わせの状態で、通常はレバー内に隠されている。このベルト留め具では、レバーが左右に揺動するので、使用する学童の成長に応じて背負いベルトの上端の取り付け間隔が広がり、窮屈さを緩和する利点がある。また、背負いベルトの上端はランドセルの本体に対して回動自在に連結されるので、容易に背負ったり、降ろしたりすることができる。
【０００５】
特許文献２には、左右の揺動レバーの上端に背負いベルトの端部を収容する箱状の挿入部を形成し、背負いベルトの端部を嵌入した上で、２本のリベットを貫通させて回動しないように固定したランドセルが開示されている。このランドセルでは、さらに背負いベルトを構成する上層体と下層体の間に、弾性合成樹脂板、弾性金属板、弾性線材などの弾性部材を挟み込んでいる。それにより背負いベルトの端部近辺はレバーの上端から上方に延び、弾性部材の上端近辺から緩くカーブして下に向かうようになるので、ランドセルが使用者の背中に密着し、重量をあまり感ずることがなく、使用感がよいとされている。
【０００６】
本出願人は、先に取り付け具に連結鐶をインサート成形で固定したベルト取り付け構造を提案している（特許文献３参照）。
【考案の開示】
【考案が解決しようとする課題】
【０００７】
前記特許文献１のベルト留め具を用いる場合は、連結鐶を介してレバーと背負いベルトとが連結されるので、連結部分の強度が高い。しかし背負いベルトがランドセル本体に対して回動自在であるので、ランドセルの重量が重い場合には、肩からずり下がったり、背中から離れたりしがちである。他方、特許文献２のランドセルは、レバーの上端の挿入部が薄肉の箱状に形成され、挿入した背負いベルトと共に挿入部の前後を貫通するリベットで固定しているので、レバーを合成樹脂で形成する場合に強度が不足しがちである。また、ベルトの強度も不足しがちになる。また、特許文献３のベルト取り付け構造は、肩ベルトを連結鐶の上辺に取り付ける工程が最後になるため、作業性が低い。
【０００８】
本考案は前記従来技術の問題に鑑み、ランドセルが重い場合でも使用者の背中に密着するようにし、しかも連結部の強度を従来の連結鐶を備えたものと同程度にすると共に、あらかじめ肩ベルトを取り付けた連結鐶を取り付け具に連結でき、組立が容易なベルト取り付け構造を提供することを技術課題としている。さらに本考案は、背負いベルトが自在に回動するタイプと、固定状態で保持されるタイプの両方に対し、簡単な加工だけで容易に兼用できるランドセルのベルト取り付け構造を提供することを技術課題としている。
【課題を解決するための手段】
【０００９】
本考案のベルト取り付け構造は、上端に左右方向に延びる連結孔を備え、背当て板の上部に左右一対の背負いベルトを取り付けるための取り付け具と、その取り付け具の連結孔に下辺が連結された三角形状ないし台形状を呈する金属製の連結鐶と、その連結鐶の上辺に回動しないように連結された背負いベルトとを備え、前記取り付け具が合成樹脂製で、上端近辺が扁平に加圧変形されることにより、断面円形の連結孔が扁平に変形されており、前記連結鐶の下辺が互いに向き合うように連結孔に嵌入される端部を備えると共に、それらの端部が連結孔に対して回動しない扁平な形態を備えており、それにより連結鐶の取り付け具に対する回動が拘束されることを特徴としている。
【００１０】
このようなランドセルのベルト取り付け構造においては、前記取り付け具の連結孔に、金属パイプが嵌入されており、その金属パイプが、前記取り付け具の上端を扁平に加圧変形するときに連結孔と同一形状に扁平に加圧されるものが好ましい。さらに前記取り付け具の上端近辺が斜め前方に屈曲ないし湾曲しており、前記扁平な連結孔が断面略長円状であり、その長手方向の軸線が取り付け具の上端と同じ角度で斜め前方に傾斜しているものが好ましい。さらに前記連結鐶が金属棒を折り曲げ形成したものであり、前記端部が加圧変形により扁平な形態にされているものが好ましい。
【００１１】
また、前記連結鐶の上辺に略上向きに突出する突出部が形成され、その突出部が背負いベルトの端部近辺に固定されることにより、ベルトと連結鐶の上辺との回動が拘束されているものが好ましい。その場合は前記突出部の突出部に薄肉の金属製弾性片が固定されているものが一層好ましい。
【００１２】
本考案のランドセルの取り付け構造の第２の態様は、背当て板の上部に揺動自在に設けられる左右一対の取り付け具と、その取り付け具の上端に下辺が連結された三角形状ないし台形状を呈する金属製の連結鐶と、その連結鐶の上辺に連結された背負いベルトとを備え、前記背負いベルトの端部近辺が連結鐶の上辺を包むように折り返されて背負いベルトの他の部分に縫いつけられており、前記連結鐶の下辺の両端が互いに向き合うと共に、それらの端部に扁平部が設けられ、その扁平部が、合成樹脂製の取り付け具の加圧変形により扁平にした連結孔に嵌入されることにより、前記連結鐶の下辺が取り付け具に固定されており、前記取り付け具の上端近辺が斜め前方に屈曲ないし湾曲しており、前記連結鐶の上辺に、略上向きに突出する突出部が形成され、その突出部が背負いベルトの端部近辺に固定されていることを特徴としている。
【考案の効果】
【００１３】
本考案のベルト取り付け構造は、背負いベルトと取り付け具とを金属製の連結鐶で連結しているので、連結部の強度が高い。さらに取り付け具の連結孔を備えた上端近辺が扁平に加圧変形されており、その連結孔と嵌合合する連結鐶の下辺の互いに向き合う端部が扁平にされているので、連結孔に対する連結鐶の回動が拘束される。そのため連結鐶に対して回動しないように保持されている背負いベルトの上部が上向きに保持される。それによりランドセルのずり下がりが防止され、背当て板が使用者の背中に密着しやすく、装着感がよい。
【００１４】
また、取り付け具の上部近辺は、加圧変形で扁平にされ、それにより連結孔が扁平に変形しているので、射出成型などで製造する場合に比して、製造が容易である。さらに連結鐶が取り付け具に対して回動するタイプと、回動を拘束するタイプとで、同一の取り付け具を利用できる。すなわち共通の部品を製造しておき、受注状況に応じて拘束するタイプのみ加圧成形すればよい。そのため、部品の量産効果が高く、部品管理が容易になる。
【００１５】
金属製の連結鐶は、あらかじめ下辺の端部同士をある程度離して製造しておき、ベルトを取り付けておく。そして下辺の端部を連結孔に嵌入させるように曲げ成形する。それにより肩ベルトを取り付け具に対して容易に組み付けることができる。
【００１６】
前記取り付け具の連結孔に、金属パイプが嵌入されており、その金属パイプが、前記取り付け具の上端を扁平に加圧変形するときに連結孔と同一形状に扁平に加圧されるベルト取り付け構造においては、取り付け具の上端を扁平に加圧変形するときに割れが生じにくく、強度も高くなる。さらに金属製の連結鐶と合成樹脂製の取り付け具とが直接接触しないので、長期間使用しても、取り付け具の連結孔が摩耗しにくい。
【００１７】
前記取り付け具の上端近辺が斜め前方に屈曲ないし湾曲しており、前記扁平な連結孔が断面略長円状であり、その長手方向の軸線が取り付け具の上端と同じ角度で斜め前方に傾斜している場合は、ランドセルを背負ったときに背負いベルトが自然な状態で延びる向きに連結鐶が延びることになる。そのため、連結鐶にねじれの力が生じにくい。さらに背負いベルトの装着感も優れている。
【００１８】
前記連結鐶が金属棒を折り曲げ形成したものであり、前記端部が加圧変形により扁平な形態にされているベルト取り付け構造においては、連結鐶の製造が容易であり、強度が高い。さらに取り付け具の場合と同様に、回動タイプと拘束タイプとで共通の部品を製造しておき、拘束するタイプのみ、加圧成形すればよい。そのため、部品の量産効果が高く、部品管理が容易になる。
【００１９】
前記連結鐶の上辺に略上向きに突出する突出部が形成され、その突出部が背負いベルトの端部近辺に固定されることにより、ベルトと連結鐶の上辺との回動が拘束されているベルト取り付け構造においては、連結鐶と背負いベルトの連結部の回動を一層確実に拘束することができ、連結強度が高い。その場合、前記突出部の突出部に薄肉の金属製の弾性片を固定しておくと、その金属製弾性片によって肩ベルトを上方に向けた形態に弾力的に保持する作用がある。そのため、ランドセルを背負っているときに、一層ずり下がりを防止できる。
【００２０】
本考案のランドセルのベルト取り付け構造の第２の態様では、合成樹脂製の取り付け具が加圧変形により扁平にされているので、射出成型などで製造する場合に比して、製造が容易である。さらに回動タイプと、拘束タイプとで、部品ないし未加工品を共用できる。さらに連結鐶の上辺に、略上向きに突出する突出部が形成され、その突出部が背負いベルトの端部近辺に固定されているので、肩ベルトの保持作用が高い。
【考案を実施するための最良の形態】
【００２１】
つぎに図面を参照しながら本考案のベルト取り付け構造およびランドセルの実施の形態を説明する。図１は本考案のベルト取り付け構造の一実施形態を示す組み立て前の要部斜視図、図２はそのベルト取り付け構造の組み立て後の一部断面要部正面図、図３は図１のベルト取り付け構造における取り付け具の製造工程を示す要部工程図、図４は図２のIV-IV線断面図、図５は本考案のベルト取り付け構造の全体を示す一部断面正面図、図６は本考案のベルト取り付け構造を備えたランドセルの一実施形態を示す斜視図である。
【００２２】
図１および図２は、図５に示すベルト取り付け構造１０の片側部分を拡大して示したものであり、レバー状の取り付け具１１と、その取り付け具の上端に連結される略三角形状の連結鐶１２と、その連結鐶に一端が取り付けられた背負いベルト１３と、連結鐶１２に固定される弾性片１４とからなる。弾性片１４は省略することもできる。
【００２３】
前記取り付け具１１は、図５に示すように、左右一対で設けられるレバー状の部材であり、一部を除いて合成樹脂により成形されている。取り付け具１１の下部は上端がスリット状に開口しているケース１５内に収容され、下端がピン１６によって回動自在に連結されている。さらにバネ１７により、中央側に付勢されている。なお、図２の符号１８はランドセルをフックなどに引っかけるための引っかけ鐶である。
【００２４】
前記取り付け具１１の上端には、図３に示すように、断面円形の筒部２０と、その内部に嵌合された金属パイプ２１とを、一緒に扁平に加圧して断面長円状に変形させた連結部２２が設けられている。このような変形は、取り付け具１１をナイロン樹脂、ポリエチレン樹脂など、常温で塑性変形が可能な合成樹脂で構成することにより可能である。金属パイプ２１をあらかじめ嵌合させておくことにより、加圧変形のときに筒部２０の合成樹脂が割れたりひびが入ったりすることが防止される。なお、加圧は常温で行う。ただしいくらか加熱してから加圧するようにしてもよい。変形した金属パイプ２１の内部空間は連結孔２３となる。
【００２５】
連結部２２は、図３に示すように、取り付け具１１のアーム部２４からいくらか斜め上向きに前方に曲げられた部位２５の先端に設ける。そして加圧変形させる場合も、その部位２５の中心線２６に対して直角方向に加圧する。それにより連結鐶１２がその中心線２６の方向に延びることになる。金属パイプ２１は、継ぎ目がないものが好ましい。ただし継ぎ目があるものでもよい。金属パイプ２１は真鍮などが用いられる。パイプ２１の厚さは０．３〜０．７ｍｍ程度、とくに０．５ｍｍ前後が好ましい。
【００２６】
前記連結鐶１２は、図１に示すように、１本の金属線を略三角形状ないし台形状に折り曲げて成形した部品である。線材の両端部２８近辺は三角形ないし台形の下辺２９を構成し、取り付け具１１の連結部２２に連結する前は、連結部２２の長さよりいくらか狭い程度の間隔をあけて対向している。三角形ないし台形の上辺３０は傾斜しており、背負いベルト１３を連結する部位である。左右の側辺３１、３２はそれらを連結する部位である。この実施形態では、生地回方の側辺３１は湾曲しており、長い方の側辺３２は上辺３０に対して屈曲している。
【００２７】
連結鐶１２の両方の端部２８の近辺は、図１に示すように、平坦に加圧変形された平坦部３３としている。そしてこれらの平坦部３３を連結鐶１２の扁平な連結孔２３に嵌入させ、左右の側辺３１、３２を上辺３０に対してさらに屈曲させて端部２０同士を対向させることにより、図２に示すように取り付け具１１に対して回動しないように連結することができる。平坦部３３の厚さ（図４の符号Ｔ）は連結孔２３の長円状の断面形状における幅（図４の符号Ｂ）よりいくらか大きくてもよい。その場合は平坦部３３を嵌入するときに、連結孔２３の幅Ｂがいくらか拡がる。図４に示すように、平坦部３３の幅Ｗは連結孔２３の断面形状における長さＬより短い。それにより略矩形状の断面の平坦部３３を連結孔２３に嵌合させやすい。
【００２８】
図１に示すように、連結鐶１２の上辺３０の上部には、平坦に加圧することにより突出させた突出部３４が形成されている。平坦部３３および突出部３４の加圧方向は、連結鐶１２を構成する三角形ないし台形が形成する平面に対して直角の向きである。それにより平坦部３３および突出部３４は、一度のプレス加工によって行うことができる。また、背負いベルト１２の引っ張り方向と取り付け具１１とが連結鐶１２によって真っ直ぐに連結され（図４参照）、ねじれなどの力が生じにくい。それにより連結鐶１２に無理な力が働かない。
【００２９】
前記弾性片１４は、図４に示すように、１枚の金属薄板を中央で折り曲げて上部３５を重ねた形態を備えている。それにより下部３６で連結鐶１２の上辺３０を包むことができる。弾性片１４の上部３５は、図２に示すように、２本の平行な突出片３７を備え、その間にＵ字状の切り欠き３８を形成している。この切り欠き３８は、図１に示すように背負いベルト１３に固定するための鋲（リベット）３９を通すスペースである。弾性片１４は、たとえばステンレススチールなどの弾力性がある強靱な金属が好ましく、厚さは０．２〜０．６ｍｍ程度、とくに０．４ｍｍ前後である。
【００３０】
弾性片１４は、下部３６で連結鐶１２の上辺３０を包むように重ね、突出部３４にスポット溶接するなどにより連結鐶１２に固着される。それにより背負いベルト１３の端部と係合して背負いベルト１３を連結鐶１２に対して自由に回動しないように、かつ、いくらかの揺動を許すように弾力的に連結することができる。突出片３７の長さは、５〜２０ｍｍ程度が好ましいが、それ以上であってもよい。突出部３４の高さは３〜６ｍｍ程度が好ましい。弾性片１４を省略する場合は、突出部３４を長くするほうが好ましい。
【００３１】
前記背負いベルト１３は図５に示すように左右の連結鐶１２にそれぞれ連結される。図４に示すように、この実施形態では従来のものと同様に、背負いベルト１３の端部を連結鐶１２の内部に通し、折り返して他の部分と糸で縫い合わせることにより、連結鐶１２の上辺２３に掛け回している（図４参照）。さらにこの実施形態では弾性片１４を含めた背負いベルト１３の全体を鋲（リベット）３９で固定している。鋲３９は前述のように弾性片１４の突出片３６の間に通す。背負いベルト１３は、天然皮革または合成皮革からなる厚手の表面シート１３ａと、天然皮革または合成皮革からなる柔軟で薄い裏面シート１３ｂと、両者の間に介在される発泡樹脂シートなどからなるクッション材１３ｃとを備えた３層構造になっている。
【００３２】
上記のように構成されるベルト取り付け構造１０は、図６に示すように、従来のベルト取り付け構造と同様にランドセル４０に取り付けて用いられる。すなわちランドセル４０の本体４１の前面側に設けられる背当て板４２の上部に、ケース１５によって揺動自在に支持される左右一対のレバー状の取り付け具１１を設け、連結鐶１２を介して背負いベルト１３の上端を取り付ける。
【００３３】
それらの背負いベルト１３の下端は、ランドセル４０の本体４１の底板４３に左右一対で設けられる連結部材（いわゆるダルマ鐶）に取り付ける。連結部材は底板に固定されるベースと、そのベースに対して垂直の軸回りに回動自在の取り付け部とを有し、背負いベルト１３の下端の連結鐶を取り付け部に対して回動自在に連結する従来公知のものである。背負いベルト１３の下部には、公知の長さ調節部４４が設けられている。背当て板４２には、通常は下部および両側部にクッション材４５が設けられている。
【００３４】
上記のように構成されるランドセル４０は、連結具１１に対して連結鐶１２が上向きに延びた状態で回動しないように固定され、その連結鐶１２に背負いベルト１３が上向きに延びるように、かつ、回動しないように取り付けられる。そのため背負いベルト１３の上端を背負いベルト１３自体の弾力性で撓みを許しながら上向きに保持する。そして弾性片（図１の符号１４）を有する場合は、さらに適切な撓み性と弾力性を付与する。それによりランドセル４０はずり下がりにくくなり、背当て板４２のクッション材４５と相まって、使用者の背中に密着し、すぐれた装着感をもたらす。なお、背当て板４２の中央部にはクッション材４５が設けられていないので、通気性がよく、蒸れることがない。
【００３５】
そして連結具１１と背負いベルト１３とは、金属製の棒を折り曲げ成形した連結鐶１２によってしっかりと連結されるので、連結強度が高い。とくに背負いベルト１３は連結鐶１２に対し、従来の取り付け方法とほぼ同じように、折り返しと糸３２による縫いつけにより連結することができるので、背負いベルト１３にねじれなどの無理な力が加わりにくく、耐久性が高い。
【図面の簡単な説明】
【００３６】
【図１】本考案のベルト取り付け構造の一実施形態を示す組み立て前の要部斜視図である。
【図２】そのベルト取り付け構造の組み立て後の一部断面要部正面図である。
【図３】図１のベルト取り付け構造における取り付け具の製造工程を示す要部工程図である。
【図４】図２のIV-IV線断面図である。
【図５】本考案のベルト取り付け構造の全体を示す一部断面正面図である。
【図６】本考案のベルト取り付け構造を備えたランドセルの一実施形態を示す斜視図である。
【符号の説明】
【００３７】
１０  ベルト取り付け構造
１１  取り付け具
１２  連結鐶
１３  背負いベルト
１３ａ  表面シート
１３ｂ  裏面シート
１３ｃ  クッション材
１４  弾性片
１５  ケース
１６  ピン
１７  バネ
１８  引っかけ鐶
２０  筒部
２１  金属パイプ
２２  連結部
２３  連結孔
２４  アーム部
２５  前方に曲げられた部位
２６  中心線
２８  端部
２９  下辺
３０  上辺
３１、３２  側辺
３３  平坦部
３４  突出部
３５  上部
３６  下部
３７  突出片
３８  切り欠き
３９  鋲
４０  ランドセル
４１  本体
４２  背当て板
４３  底板
４４  長さ調節部
４５  クッション材
【図１】
0003118031.tif 000003
【図２】
0003118031.tif 000004
【図３】
0003118031.tif 000005
【図４】
0003118031.tif 000006
【図５】
0003118031.tif 000007
【図６】
0003118031.tif 000008